(57)【要約】【課題】  データの利用可能な期間に応じて正確にデータを配信することによりデータファイルの不正利用を防ぎ、新たなサービスモデルを提供する。【解決手段】  データ配信サーバ２は、データの利用可能な期間に関する情報を当該データに付加するデータ選択手段２１と、当該データを配信する配信手段２２とを具備し、移動通信機器１は、当該データを保存するデータ保存手段１２と、現在の時刻情報を取得する時刻情報取得手段１４と、現在の時刻情報と、当該データの利用可能な期間に関する情報とを比較し、現在の時刻情報が、当該データの利用可能な期間を満たしているか否かを判定するデータ利用許否判定手段１５と、当該データの利用可能な期間を満たしていない場合、当該データを削除するデータ削除手段１６とを備える。【選択図】      図１
2006119768.tif 000002
【特許請求の範囲】
【請求項１】
データ配信サーバから移動通信機器にネットワークを経由して配信される種々のデータを管理する配信データ管理システムにおいて、
前記データ配信サーバは、移動通信機器から要求されたデータを選択し、当該データの利用可能な期間に関する情報を当該データに付加するデータ選択手段と、当該データを当該データの利用可能な期間に関する情報とともに当該移動通信機器に配信するデータ配信手段とを具備し、
前記移動通信機器は、
前記データ配信手段から配信された当該データおよび当該データの利用可能な期間に関する情報を保存するデータ保存手段と、
ＧＰＳ衛星から送信されるＧＰＳ信号を受信し、当該ＧＰＳ信号に含まれている現在の時刻情報を取得する時刻情報取得手段と、
前記時刻情報取得手段で取得した前記現在の時刻情報と、前記データ保存手段に保存されている当該データの利用可能な期間に関する情報とを比較し、前記現在の時刻情報が、当該データの利用可能な期間を満たしているか否かを判定するデータ利用許否判定手段と、
前記データ利用許否判定手段の結果、前記現在の時刻が前記利用可能な期間を経過している場合に、当該データを削除するデータ削除手段と、
を具備することを特徴とする配信データ管理システム。
【請求項２】
データ配信サーバから移動通信機器にネットワークを経由して配信される種々のデータを管理する配信データ管理システムにおいて、
前記データ配信サーバは、移動通信機器から要求されたデータを選択し、当該データの利用可能なエリアに関する情報を当該データに付加するデータ選択手段と、当該データを当該データの利用可能なエリアに関する情報とともに当該移動通信機器に配信するデータ配信手段とを具備し、
前記移動通信機器は、
前記データ配信手段から配信された当該データおよび当該データの利用可能なエリアに関する情報を保存するデータ保存手段と、
ＧＰＳ衛星を用いて現在の位置情報を取得する位置情報取得手段と、
前記位置情報取得手段で取得した前記現在の位置情報と、前記データ保存手段に保存されている当該データの利用可能なエリアに関する情報とを比較し、前記現在の位置情報が、当該データの利用可能なエリアを満たしているか否かを判定するデータ利用許否判定手段と、
前記データ利用許否判定手段の結果、前記現在の位置が前記利用可能なエリアから外れている場合に、当該データを削除するデータ削除手段と、
を具備することを特徴とする配信データ管理システム。
【請求項３】
データ配信サーバから移動通信機器にネットワークを経由して配信される種々のデータを管理する配信データ管理システムにおいて、
前記データ配信サーバは、移動通信機器から要求されたデータを選択し、当該データの利用可能な期間またはエリアに関する情報を当該データに付加するデータ選択手段と、当該データを当該データの利用可能な期間またはエリアに関する情報とともに当該移動通信機器に配信するデータ配信手段とを具備し、
前記移動通信機器は、
前記データ配信手段から配信された当該データおよび当該データの利用可能な期間またはエリアに関する情報を保存するデータ保存手段と、
ＧＰＳ衛星から送信されるＧＰＳ信号を受信し、当該ＧＰＳ信号に含まれている現在の時刻情報または現在の位置情報を取得する時刻情報／位置情報取得手段と、
前記時刻情報／位置情報取得手段で取得した前記現在の時刻情報または現在の位置情報と、前記データ保存手段に保存されている当該データの利用可能な期間またはエリアに関する情報とを比較し、前記現在の時刻情報または現在の位置情報が、当該データの利用可能な期間またはエリアを満たしているか否かを判定するデータ利用許否判定手段と、
前記データ利用許否判定手段の結果、前記現在の時刻が前記利用可能な期間を経過している場合、または前記現在の位置が前記利用可能なエリアから外れている場合に、当該データを削除するデータ削除手段と、
を具備することを特徴とする配信データ管理システム。
【請求項４】
前記時刻情報／位置情報取得手段は、当該データの再生時には常時ＧＰＳ信号を利用して前記現在の時刻情報または現在の位置情報を取得し、前記移動通信機器の電源を切った場合には、再度電源を入れた時点で前記現在の時刻情報または現在の位置情報を取得することを特徴とする請求項３記載の配信データ管理システム。
【請求項５】
データ配信サーバからデータ要求機器にネットワークを経由して配信される種々のデータを管理する配信データ管理方法において、
前記データ配信サーバにおいて、データ要求機器から要求されたデータを選択し、当該データの利用可能な期間またはエリアに関する情報を当該データに付加するデータ選択ステップと、
当該データを当該データの利用可能な期間またはエリアに関する情報とともに当該データ要求機器に配信するデータ配信ステップと、
前記データ要求機器において、前記データ配信ステップで配信された当該データおよび当該データの利用可能な期間またはエリアに関する情報を保存するデータ保存ステップと、
ＧＰＳ衛星から送信されるＧＰＳ信号を受信し、当該ＧＰＳ信号に含まれている現在の時刻情報または現在の位置情報を取得する時刻情報／位置情報取得ステップと、
前記時刻情報／位置情報取得ステップにおいて取得した前記現在の時刻情報または現在の位置情報と、前記データ保存手段に保存されている当該データの利用可能な期間またはエリアに関する情報とを比較し、前記現在の時刻情報または現在の位置情報が、当該データの利用可能な期間またはエリアを満たしているか否かを判定するデータ利用許否判定ステップと、
前記データ利用許否判定ステップにおいて、前記現在の時刻が前記利用可能な期間を経過している場合、または前記現在の位置が前記利用可能なエリアから外れている場合に、当該データを削除するデータ削除ステップと、
を含むことを特徴とする配信データ管理方法。
【発明の詳細な説明】
【技術分野】
【０００１】
本発明は、モバイルネットワークへの情報配信の分野において、配信されたデータを利用可能な期間または利用可能なエリアを用いて管理する配信データ管理システムおよび配信データ管理方法に関する。
【背景技術】
【０００２】
近年、コンピュータネットワークが発展し、複数のコンピュータ間でモバイルネットワークなどの移動通信ネットワークが盛んに行なわれるようになってきている。それに伴い、移動通信機器を用いて各種の情報サービスセンターなどにアクセスすることにより、ユーザが必要とする情報やサービスの提供が容易に行なえるようになってきた。例えば、ＩＴＳ（Ｉｎｔｅｌｌｉｇｅｎｔ  Ｔｒａｎｓｐｏｒｔ  Ｓｙｓｔｅｍ）のように、最先端の情報通信技術を用いて人と道路と車両とを情報でネットワークすることにより、交通事故、渋滞などといった道路交通問題の解決を目的に構築するシステムが提案されている。特に、携帯情報端末は、可搬性があり、時間や場所による制約を受けずに情報検索、情報処理、通信処理などが行なえるという利点を有し、その一方で、コピーガードの問題が生起するので、配信されたデータをコピーガードなどによって２次利用することを禁止するサービスなどが実現されている。
【０００３】
この配信データ管理方法の従来例として、特許文献１記載の地域情報配信装置がある。この装置は、携帯情報端末のユーザの特性に関連した情報、時間的に変化する情報の放送型配信を可能とするために、配信サーバ（地球情報配信装置）は、送受信手段により携帯情報端末からその携帯情報端末のユーザに関する情報を含む属性情報を受信し、位置情報検出手段により携帯情報端末の現在位置を示す位置情報を検出する。また、時間的に変化しない静的情報を格納する予告情報格納手段（静的情報格納手段）と、時間的に自動的に更新される動的情報を格納する空席情報格納手段（動的情報格納手段）とを有し、情報決定手段により、属性情報及び位置情報を参照して、予告情報格納手段及び空席情報格納手段から読み出す情報を決定し、情報加工手段で配信情報に加工して、送受信手段から携帯情報端末に送信する。この従来例は、特定の地域に存在する携帯情報端末の位置情報およびそのユーザの属性情報を参照して、時間的に変化しない静的情報および時間的に自動的に更新される動的情報を選択決定し、携帯情報端末に配信する配信情報を作成、配信するようにしているので、配信サーバは、定期的に収集した情報を配信することができ、ユーザに利便性を図ったものである。
【０００４】
また、特許文献２記載の情報端末装置は、ＧＰＳ機能を用いて算出した位置時刻情報をサーバ装置に対して送信するに際し、サーバ装置との間で認証を行なう装置であり、ＧＰＳ機能とネットワーク機能とを備える携帯電話から、ＧＰＳ機能を用いて得られた位置や時刻に関する情報をサーバ装置に対して送信するに際して、この携帯電話とサーバ装置との間で認証を行なう装置である。また、サーバ装置が正当な接続対象であると認証された場合に限って、位置時刻情報をサーバ装置に対して送信する。すなわち、上記送受信手段により送受信される認証情報に基づいて上記情報処理装置が正当な接続対象であるか否かを判定し、正当な接続対象であると認証した場合に限って、上記衛星信号から算出される自己の現在位置及び現在の時刻に関する位置時刻情報を上記送受信手段により送信する認証手段を備えたものである。これにより、全地球測位システムを利用して算出される現在位置や時刻情報に関する情報、すなわち位置時刻情報が、ユーザの意図しない第３者へ漏洩してしまうことを防止し、通信ネットワークを介して情報処理装置との間で安全かつ確実に位置時刻情報を送受信することができるようにしたものである。
【特許文献１】特開２００３−１９６１８１号公報
【特許文献２】特開２００４−３２３７６号公報
【発明の開示】
【発明が解決しようとする課題】
【０００５】
しかしながら、上述した特許文献１においては、配信されたデータのコピーガード等は設けられているが、時間やエリアによってコピーガードする技術はなく、従って、完全にコピーガード等することはできないので、データファイルの不正利用を防ぐことができないという問題があった。
また、特許文献２においては、時間やエリアによって認証する技術で、時間やエリアによってある程度コピーガードすることはできるが、単にユーザとデータ配信会社とが認証し合うだけなので、特定状況下の時刻または位置に応じて種々のデータを配信することはできないという問題があった。
【０００６】
本発明は、上記課題を解決するためになされたものであって、期間単位またはエリア単位に応じて正確にデータを配信することによって、データファイルの不正利用を防ぐことができる配信データ管理システムおよび配信データ管理方法を提供することを目的とする。
また、本発明は、特定状況下の時刻または位置に応じて種々のデータを配信することができ、新たなサービスモデルを提供できる配信データ管理システムおよび配信データ管理方法を提供することを目的とする。
【課題を解決するための手段】
【０００７】
上記課題を解決するために、請求項１記載の配信データ管理システムは、データ配信サーバから移動通信機器にネットワークを経由して配信される種々のデータを管理する配信データ管理システムにおいて、前記データ配信サーバは、移動通信機器から要求されたデータを選択し、当該データの利用可能な期間に関する情報を当該データに付加するデータ選択手段と、当該データを当該データの利用可能な期間に関する情報とともに当該移動通信機器に配信するデータ配信手段とを具備し、前記移動通信機器は、前記データ配信手段から配信された当該データおよび当該データの利用可能な期間に関する情報を保存するデータ保存手段と、ＧＰＳ衛星から送信されるＧＰＳ信号を受信し、当該ＧＰＳ信号に含まれている現在の時刻情報を取得する時刻情報取得手段と、前記時刻情報取得手段で取得した前記現在の時刻情報と、前記データ保存手段に保存されている当該データの利用可能な期間に関する情報とを比較し、前記現在の時刻情報が、当該データの利用可能な期間を満たしているか否かを判定するデータ利用許否判定手段と、前記データ利用許否判定手段の結果、前記現在の時刻が前記利用可能な期間を経過している場合に、当該データを削除するデータ削除手段と、を具備することを特徴とする。この構成によれば、データ配信サーバは、当該データの利用可能な期間に応じて正確にデータを配信することができ、従って、データファイルの不正利用を防ぐことができる。
【０００８】
また、請求項２記載の配信データ管理システムは、データ配信サーバから移動通信機器にネットワークを経由して配信される種々のデータを管理する配信データ管理システムにおいて、前記データ配信サーバは、移動通信機器から要求されたデータを選択し、当該データの利用可能なエリアに関する情報を当該データに付加するデータ選択手段と、当該データを当該データの利用可能なエリアに関する情報とともに当該移動通信機器に配信するデータ配信手段とを具備し、前記移動通信機器は、前記データ配信手段から配信された当該データおよび当該データの利用可能なエリアに関する情報を保存するデータ保存手段と、ＧＰＳ衛星を用いて現在の位置情報を取得する位置情報取得手段と、前記位置情報取得手段で取得した前記現在の位置情報と、前記データ保存手段に保存されている当該データの利用可能なエリアに関する情報とを比較し、前記現在の位置情報が、当該データの利用可能なエリアを満たしているか否かを判定するデータ利用許否判定手段と、前記データ利用許否判定手段の結果、前記現在の位置が前記利用可能なエリアから外れている場合に、当該データを削除するデータ削除手段と、を具備することを特徴とする。この構成によれば、データ配信サーバは、当該データの利用可能なエリアに応じて正確にデータを配信することができ、従って、データファイルの不正利用を防ぐことができる。
【０００９】
また、請求項３記載の配信データ管理システムは、データ配信サーバから移動通信機器にネットワークを経由して配信される種々のデータを管理する配信データ管理システムにおいて、前記データ配信サーバは、移動通信機器から要求されたデータを選択し、当該データの利用可能な期間またはエリアに関する情報を当該データに付加するデータ選択手段と、当該データを当該データの利用可能な期間またはエリアに関する情報とともに当該移動通信機器に配信するデータ配信手段とを具備し、前記移動通信機器は、前記データ配信手段から配信された当該データおよび当該データの利用可能な期間またはエリアに関する情報を保存するデータ保存手段と、ＧＰＳ衛星から送信されるＧＰＳ信号を受信し、当該ＧＰＳ信号に含まれている現在の時刻情報または現在の位置情報を取得する時刻情報／位置情報取得手段と、前記時刻情報／位置情報取得手段で取得した前記現在の時刻情報または現在の位置情報と、前記データ保存手段に保存されている当該データの利用可能な期間またはエリアに関する情報とを比較し、前記現在の時刻情報または現在の位置情報が、当該データの利用可能な期間またはエリアを満たしているか否かを判定するデータ利用許否判定手段と、前記データ利用許否判定手段の結果、前記現在の時刻が前記利用可能な期間を経過している場合、または前記現在の位置が前記利用可能なエリアから外れている場合に、当該データを削除するデータ削除手段と、を具備することを特徴とする。この構成によれば、データ配信サーバは、当該データの利用可能な期間またはエリアに応じて正確にデータを配信することができ、従って、データファイルの不正利用を防ぐことができる。
【００１０】
また、請求項４記載の配信データ管理システムは、請求項３において、前記時刻情報／位置情報取得手段は、当該データの再生時には常時ＧＰＳ信号を利用して前記現在の時刻情報または現在の位置情報を取得し、前記移動通信機器の電源を切った場合には、再度電源を入れた時点で前記現在の時刻情報または現在の位置情報を取得することを特徴とする。この構成によれば、データ配信サーバは、当該データの再生時に経過した時間または再生時に移動した位置に応じて正確にデータを配信することができるので、特定状況下の時刻または位置に応じて種々のデータを配信することができ、従って、新たなサービスモデルを提供することができる。
【００１１】
また、請求項５記載の配信データ管理方法は、データ配信サーバからデータ要求機器にネットワークを経由して配信される種々のデータを管理する配信データ管理方法において、前記データ配信サーバにおいて、データ要求機器から要求されたデータを選択し、当該データの利用可能な期間またはエリアに関する情報を当該データに付加するデータ選択ステップと、当該データを当該データの利用可能な期間またはエリアに関する情報とともに当該データ要求機器に配信するデータ配信ステップと、前記データ要求機器において、前記データ配信ステップで配信された当該データおよび当該データの利用可能な期間またはエリアに関する情報を保存するデータ保存ステップと、ＧＰＳ衛星から送信されるＧＰＳ信号を受信し、当該ＧＰＳ信号に含まれている現在の時刻情報または現在の位置情報を取得する時刻情報／位置情報取得ステップと、前記時刻情報／位置情報取得ステップにおいて取得した前記現在の時刻情報または現在の位置情報と、前記データ保存手段に保存されている当該データの利用可能な期間またはエリアに関する情報とを比較し、前記現在の時刻情報または現在の位置情報が、当該データの利用可能な期間またはエリアを満たしているか否かを判定するデータ利用許否判定ステップと、前記データ利用許否判定ステップにおいて、前記現在の時刻が前記利用可能な期間を経過している場合、または前記現在の位置が前記利用可能なエリアから外れている場合に、当該データを削除するデータ削除ステップと、を含むことを特徴とする。この構成によれば、データ配信サーバは、当該データの利用可能な期間またはエリアに応じて正確にデータを配信することができ、従って、データファイルの不正利用を防ぐことができる。
【発明の効果】
【００１２】
以上説明したように、本発明では、正確な時刻情報や位置情報に基づきデータ管理を行なうと共に、悪意のあるユーザが当該データを利用可能な期間またはエリアに関する情報を変更するといったことを防ぐことができ、現在の時刻または現在の位置を取得する手段としてＧＰＳ衛星から送信される時刻情報や測位に基づく位置情報を利用し、携帯電話や車載オーディオ機器にてデータの利用可能な期間やエリアを判定することができるので、データの不正利用を防ぐことができるという効果が得られる。
【００１３】
また、特定の状況下におけるデータ管理機能を提供することが可能となり、種々のデータを配信することができるので、新たなサービスモデルを提供できるという効果が得られる。なお、上記特定状況とは、例えば、音楽ファイルなどで時間による管理によって短時間に限る情報提供が必要な場合、地図データなどで時間による管理によって短時間に限る情報提供が必要な場合、地図データなどで特定のエリアに限る情報提供が必要な場合等がある。
【発明を実施するための最良の形態】
【００１４】
以下、図面を参照して本発明の配信データ管理システムの実施形態について詳細に説明する。
〔第１実施形態〕
まず、本発明の第１実施形態に係る配信データ管理システムについて詳細に説明する。
図１は、本発明の第１実施形態に係る配信データ管理システムの全体構成を示すブロック図である。
同図に示すように、このシステムは、移動通信網内で使用される移動通信機器１と、移動通信機器１に対してデータを配信するデータ配信会社２と、移動通信機器１に時刻情報等を与えるＧＰＳ衛星３とを備える。
【００１５】
移動通信機器１は、携帯電話・ＰＨＳ等のモバイル通信機器、自動車用車載通信機器、船舶搭載用通信機器、列車搭載通信機器等、移動しながら通信可能な機器全てを含むものとする。自動車用車載通信機器の一例として、車載オーディオ機器等がある。移動通信機器１は、データ配信会社２とインターネット等のネットワーク（移動通信網）４を介して双方向に通信可能に接続され、かつ、ＧＰＳ衛星３を用いて自己の時刻情報等を取得する。静止衛星であるＧＰＳ衛星３からの電波を受信するためにはＧＰＳ装置が必要であるが、このＧＰＳ装置は、本実施形態においては移動通信端末１に内蔵されている。このようにして、移動通信端末１は、現在時刻に関する情報を赤外線通信或いは電波による無線通信によって取得する。
【００１６】
データ配信会社２は、データを配信するデータ配信サーバを有し、移動通信網４を介して移動通信機器１に対して情報を配信する。この情報には、音楽情報、地図情報、ニュース、交通情報等、種々の情報が含まれ、それぞれ個々の音楽情報提供会社、地図情報提供会社、ニュース提供会社、交通情報提供会社等が直接提供することもできるし、これらの情報を取りまとめて配信するプロバイダ等であっても良い。
【００１７】
ＧＰＳ（Ｇｌｏｂａｌ  Ｐｏｓｉｔｉｏｎｉｎｇ  Ｓｙｓｔｅｍ）衛星３は、全地球測位システムであり、複数のＧＰＳ衛星３から構成され、各ＧＰＳ衛星３は個々のＧＰＳ信号を発信する。移動通信機器１は所定の個数のＧＰＳ衛星３から発信されるＧＰＳ信号を受信し、このＧＰＳ信号を解析することによって時刻情報等を取得する。
移動通信機器１の内部には、データ受信手段１１と、データ保存手段１２と、ＧＰＳ信号受信手段１３と、時刻情報取得手段１４と、データ利用許否判定手段１５と、データ削除手段１６とが配置され、データ配信会社２にはデータ選択手段２１とデータ配信手段２２とが設けられている。
【００１８】
データ選択手段２１は、移動通信機器１から要求されたデータをデータ配信会社２内に格納されているデータベース（図示せず）などから選択し、当該データの利用可能な期間に関する情報を当該データに付加する。データ配信手段２２は、データ選択手段２１で選択されたデータを当該データの利用可能な期間に関する情報と共に移動通信機器１に配信する。
【００１９】
データ受信手段１１は、データ配信会社２のデータ配信手段２２からのデータを受信する。データ保存手段１２は、データ受信手段１１で受信したデータをメモリなどに一時的に保存する。ＧＰＳ信号受信手段１３は、所定のＧＰＳ衛星３から送信されるＧＰＳ信号を受信する。時刻情報取得手段１４は、受信したＧＰＳ信号を解析して時刻情報等のデータを取得する。データ利用許否判定手段１５は、時刻情報取得手段１４で取得したＧＰＳ衛星３からの時刻情報と、データ保存手段１２に保存しているデータ配信会社２からのデータに含まれている利用可能な期間に関する情報とを比較し、データ配信会社２から配信されるデータが時間的に利用可能か否かを判定する。データ削除手段１６は、データ利用許否判定手段１５により当該データが時間的に利用できないと判定された場合、メモリ内の当該データを削除する。
なお、時刻情報取得手段１４は、当該データの再生時には常時ＧＰＳ信号を利用して現在の時刻情報を取得し、移動通信機器１の電源を切った場合には、再度電源を入れた時点で現在の時刻情報を取得するように構成すれば好ましい。
【００２０】
図２は、本発明の第１実施形態に係る配信データ管理システムの動作を示すフローチャートである。
まず、移動通信機器１を用いてユーザがデータ配信会社２に対して音楽または地図などのデータを要求する（ステップＳ２１）。次に、データ配信会社２は、データ選択手段２１を用いて要求されたデータを自身のデータベース等から選択し（ステップＳ２２）、かつそのデータが利用できる期間に関する情報を判定し当該データに付加し（ステップＳ２３）、データ配信手段２２を用いて選択したデータおよび利用可能な期間に関する情報を移動通信機器１に配信する（ステップＳ２４）。移動通信機器１では、データ受信手段１１を用いてデータ配信会社２からのデータを受信し（ステップＳ２５）、データ保存手段１２に保存しておく（ステップＳ２６）。また、移動通信機器１は、ＧＰＳ信号受信手段１３を用いてＧＰＳ衛星３から送信されるＧＰＳ信号を受信し（ステップＳ２７）、時刻情報取得手段１４を用いてＧＰＳ信号を解析し時刻情報を取得する（ステップＳ２８）。次に、データ利用許否判定手段１５を用いて、このＧＰＳ衛星３から取得した時刻情報と、データ配信会社２から配信された利用可能な期間に関する情報とを比較し、現在の時刻が当該データの利用可能な期間を経過しているか否かを判定し（ステップＳ２９）、現在の時刻が利用可能な期間を経過した後、データ削除手段１６を用いて当該データを削除する（ステップＳ３０）。また、現在の時刻が利用可能な期間を経過していない場合には、ステップＳ２５に戻り、再度ＧＰＳ信号より時刻情報を取得し、ステップＳ２９にて再度、現在の時刻が当該データの利用可能な期間を経過しているか否かを判定する。このようにして、メモリ内のデータは順次削除される。
【００２１】
図３は、本発明の第１実施形態に係る配信データ管理システムにおけるＧＰＳ衛星の時刻情報を用いた利用可能データの管理方法を示す概略図である。
この方法は、ＧＰＳ衛星３を用いて携帯電話や車載オーディオ機器等の移動通信機器において時刻情報を取得し、得られた時刻情報と、配信データの利用可能な期間に関する情報とを比較してデータ利用を許可できるか否かを判定する方法である。
【００２２】
同図に示すように、まず、携帯電話や車載通信機器等の移動通信機器１がデータ配信会社２からデータを配信してもらうために移動通信網４を介してデータ配信会社２に対してデータ要求を行なう（ステップＳ３１）、データ配信会社２においては、要求されたデータを選択し、当該データの利用可能な期間情報を判定した後、この期間に関する情報を当該データに付加し（ステップＳ３２）、この利用可能な期間に関する情報を含むデータを移動通信網４を介して移動通信機器１に対して配信する（ステップＳ３３）。移動通信機器１においては、現在の時刻情報をＧＰＳ衛星３から送信されるＧＰＳ信号を用いて取得し（ステップＳ３４）、ＧＰＳ衛星３から取得した現在の時刻情報と、データ配信会社２から配信された利用可能な期間に関する情報とを比較し、現在の時刻が利用可能な期間を経過した後、データ配信会社２から配信され保存していたデータを削除する（ステップＳ３５）。
【００２３】
以上、第１実施形態は、携帯電話網を通じて配信されたデータと共に通知された利用可能な期間に関する情報と、携帯電話や車載オーディオ機器がＧＰＳ等により取得した現在の時刻情報とを比較し、現在の時刻が利用可能な期間を超過している場合、データをメモリから削除する方式である。これにより、ＧＰＳ等を利用して取得した時刻情報を用いて、特定の状況下に限るデータ管理機能を提供することが可能となり、データの不正利用を防ぐことができると共に、新たなサービスモデルの提供が可能となる。
【００２４】
〔第２実施形態〕
次に、本発明の第２実施形態に係る配信データ管理システムについて説明する。
図４は、本発明の第２実施形態に係る配信データ管理システムにおけるＧＰＳ衛星の位置情報を用いた利用可能データの管理方法を示す概略図である。
この方法は、ＧＰＳ衛星３を用いて携帯電話や車載オーディオ機器において測位を行い、得られた位置情報をもとに配信データの利用可能なエリア情報とを比較してデータ利用を許可できるか否かを判定する方法である。
【００２５】
同図に示すように、まず、携帯電話や車載通信機器等の移動通信機器１がデータ配信会社２からデータを配信してもらうために移動通信網４を介してデータ配信会社２に対してデータ要求を行なう（ステップＳ４１）、データ配信会社２においては、要求されたデータを選択し、当該データの利用可能なエリア情報を判定した後、このエリア情報を当該データに付加し（ステップＳ４２）、この利用可能なエリア情報を含むデータを移動通信網４を介して移動通信機器１に対して配信する（ステップＳ４３）。移動通信機器１においては、現在の位置をＧＰＳ衛星３から送信されるＧＰＳ信号を用いて取得し（ステップＳ４４）、ＧＰＳ衛星３から取得した現在の位置情報と、データ配信会社２から配信された利用可能なエリア情報とを比較し、現在の位置が利用可能なエリア情報から外れた後に、データ配信会社２から配信され保存していたデータを削除する（ステップＳ４５）。
【００２６】
以上、第２実施形態は、携帯電話網を通じて配信されたデータと共に通知された利用可能なエリア情報と、携帯電話や車載オーディオ機器がＧＰＳ等により取得した現在の位置情報とを比較し、現在の位置が利用可能なエリアから外れている場合に限り、データをメモリから削除する方式である。これにより、ＧＰＳ等を利用して取得した位置情報を用いて、特定の状況下に限るデータ管理機能を提供することが可能となり、データの不正利用を防ぐことができると共に、新たなサービスモデルの提供が可能となる。
【００２７】
〔第３実施形態〕
次に、本発明の第３実施形態に係る配信データ管理システムについて説明する。
図５は、本発明の第３実施形態に係る配信データ管理システムにおけるＧＰＳ衛星の時刻情報または位置情報を用いた利用可能データの管理方法を示す概略図である。
この方法は、ＧＰＳ衛星３から送信される時刻情報または位置情報を利用し、携帯電話や車載オーディオ機器等の移動通信機器１にて正確な時刻情報または位置情報を取得することによって、データ配信会社２から配信されるデータを時刻情報または位置情報により管理する方法である。
【００２８】
同図に示すように、まず、携帯電話や車載通信機器などの移動通信機器１がデータ配信会社２からデータを配信してもらうために移動通信網４を介してデータ配信会社２に対してデータ要求を行なう（ステップＳ５１）、データ配信会社２においては、要求されたデータを選択し、当該データの利用可能な期間またはエリアに関する情報を当該データに付加し（ステップＳ５２）、利用可能な期間またはエリアに関する情報を含むデータを移動通信網４を介して移動通信機器１に対して配信する（ステップＳ５３）。移動通信機器１においては、現在の時刻情報または位置情報をＧＰＳ衛星３から送信されるＧＰＳ信号を用いて取得し（ステップＳ５４）、ＧＰＳ衛星３から取得した現在の時刻情報または位置情報と、データ配信会社２から配信された利用可能な期間情報またはエリア情報とを比較し、現在の時刻が利用可能な期間を経過した後、または現在の位置が利用可能なエリアから外れた後に、データ配信会社２から配信され保存していたデータを削除する（ステップＳ５５）。
【００２９】
以上、第３実施形態は、携帯電話網を通じて配信されたデータと共に通知された利用可能な期間情報またはエリア情報と、携帯電話や車載オーディオ機器がＧＰＳ等により取得した現在の時刻情報または位置情報とを比較し、現在の時刻が利用可能な期間を超過している場合、または現在の位置が利用可能なエリアから外れている場合に、データをメモリから削除する方式である。これにより、ＧＰＳ等を利用して取得した時刻情報または位置情報を用いて、特定の状況下に限るデータ管理機能を提供することが可能となり、データの不正利用を防ぐことができると共に、新たなサービスモデルの提供が可能となる。
【００３０】
上述したように、本発明を適用することによって、ＧＰＳ等の時刻情報または位置情報を用いて、正確に期間単位またはエリア単位によってデータを配信することが可能になり、データファイルの不正利用を防ぐことができると共に、配信データの管理における新たなサービスモデルを提供することができる。
なお、図２に示す処理を実行するにあたっては、ＲＯＭに予め格納されている制御プログラムを実行する場合についての説明であるが、これに限らず、これらの手順を示したプログラムが記録された記憶媒体から、そのプログラムをＲＡＭに組み込んで実行するようにしても良い。あるいは、そのプログラムをネットワークから取得しても良い。
【００３１】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【００３２】
以上、本発明の実施形態について説明してきたが、本発明は、これらの実施形態に限定されず、本発明の趣旨を逸脱することなく種々の変更が可能である。例えば、上述した実施形態では、ＧＰＳ衛星３を利用して、第１実施形態において現在の時刻が利用可能な期間を経過した後に、第２実施形態において現在の位置が利用可能なエリアから外れた後に、第３実施形態において現在の時刻が利用可能な期間を経過した後、または現在の位置が利用可能なエリアから外れた後に、、データ配信会社２から配信され保存していたデータを削除することで配信データを管理する方法について説明したが、これらの実施形態に限定されず、現在の時刻が利用可能な期間を経過し、かつ現在の位置が利用可能なエリアから外れた後に、データ配信会社２から配信され保存していたデータを削除するように構成することもできる。
【００３３】
また、上述した実施形態では、全地球測位システムであるＧＰＳ衛星３を利用して時刻情報または位置情報を取得するように構成したが、これに限定されず、他の測位システムを利用して時刻情報または位置情報を取得するように構成することもできる。
また、上述した実施形態では、データ配信サーバ２は、データを選択した後、当該データの利用可能な期間またはエリアに関する情報を当該データに付加して配信するように構成したが、これに限定されず、当該データの利用可能な期間またはエリアに関する情報を他のデータの利用可能な期間またはエリアに関する情報とともにリストアップし、このリストを当該データとは別に配信するように構成することもできる。
【００３４】
また、上述した実施形態では、期間またはエリアに関する情報に応じてデータを配信するように構成したが、これに限定されず、他の属性、例えば、移動通信機器のユーザの属性に関する情報を利用可能な属性に関する情報として付加するように構成することもできる。
また、上述した実施形態では、データ削除手段１６は、現在の時刻または位置が利用可能な期間またはエリアから外れた後に、データ配信会社２から配信され保存していたデータを順次削除するように構成したが、これに限定されず、不要メモリとして別のメモリに移動し、ユーザが確認した後に削除するように構成することもできる。
【図面の簡単な説明】
【００３５】
【図１】本発明の第１実施形態に係る配信データ管理システムの全体構成を示すブロック図である。
【図２】本発明の第１実施形態に係る配信データ管理システムの動作を示すフローチャートである。
【図３】本発明の第１実施形態に係る配信データ管理システムにおけるＧＰＳ衛星の時刻情報を用いた利用可能データの管理方法を示す概略図である。
【図４】本発明の第２実施形態に係る配信データ管理システムにおけるＧＰＳ衛星の位置情報を用いた利用可能データの管理方法を示す概略図である。
【図５】本発明の第３実施形態に係る配信データ管理システムにおけるＧＰＳ衛星の時刻情報または位置情報を用いた利用可能データの管理方法を示す概略図である。
【符号の説明】
【００３６】
１…移動通信機器、２…データ配信会社、３…ＧＰＳ衛星、４…ネットワーク、１１…データ受信手段、１２…データ保存手段、１３…ＧＰＳ信号受信手段、１４…時刻情報取得手段、１５…データ利用許否判定手段、１６…データ削除手段、２１…データ選択手段、２２…データ配信手段
【図１】
2006119768.tif 000003
【図２】
2006119768.tif 000004
【図３】
2006119768.tif 000005
【図４】
2006119768.tif 000006
【図５】
2006119768.tif 000007